(57)【要約】【課題】サッシ枠のアングル部に形成された突出縁による段差を解消すると共に、該サッシ下枠の上面を覆う化粧蓋を容易に交換することができるバリアフリーサッシ下枠を提供する。【解決手段】サッシ下枠１は下枠本体５と化粧蓋６とから成り、下枠本体５は室外側上面にアングル部３を載置する下段面７が設けられると共に、室内側上面に下枠本体５の長手方向に沿って開口を有する凹溝９が形成された上段面８を有し、凹溝８の両壁内側の各上部に突部１０ａ、１０ｂが形成される一方、化粧蓋６には床仕上げ材４の端部上面に載置される延長部１４が設けられると共に、該化粧蓋６の下側に互いに離間して下枠本体５の凹溝９の両側の突部１０ａ、１０ｂに嵌合する突部１６ａ、１６ｂを有する一対の係合片１６、１６を設けたことにより、化粧蓋６を下枠本体６の凹溝９に着脱自在に嵌合する。【選択図】図１
2007285015.tif 000002
【特許請求の範囲】
【請求項１】
建物の開口部に設けられたサッシ枠のアングル部と室内側に設けられた床仕上げ材との隙間に設けるサッシ下枠において、該サッシ下枠は下枠本体と化粧蓋とから成り、前記下枠本体は室外側上面に前記アングル部を載置する下段面が設けられると共に、室内側上面に前記下枠本体の長手方向に沿って開口を有する凹溝が形成された上段面を有し、前記凹溝の両壁内側の各上部に突部が形成される一方、前記化粧蓋には前記床仕上げ材の端部上面に載置される延長部が設けられると共に、該化粧蓋の下側に互いに離間して前記下枠本体の凹溝の両側の突部に嵌合する突部を有する一対の係合片が設けられたことにより、前記化粧蓋を前記下枠本体の凹溝に着脱自在に嵌合する構成としたことを特徴とするバリアフリーサッシ下枠。
【請求項２】
前記下枠本体の上段面の上面を前記床仕上げ材の上面と一致する高さにすると共に、前記化粧蓋の上面を前記サッシ枠のアングル部の端部に設けられた突出縁の上端と一致する高さにしたことを特徴とする請求項１記載のバリアフリーサッシ下枠。
【請求項３】
前記化粧蓋の延長部の下面端部付近に軟質部材を固定したことを特徴とする請求項１又は２記載のバリアフリーサッシ下枠。
【発明の詳細な説明】
【技術分野】
【０００１】
本発明は、建物の開口部に設けられたサッシ枠と建物内部の床仕上げ材との間に取り付けるサッシ下枠であって、バリアフリーに適するように構成したバリアフリーサッシ下枠に関する。
【背景技術】
【０００２】
従来から、建物の開口部に設けられたサッシ枠には、サッシ枠の取り付け施工を容易にするため、建物の内側に向けてアングル部が形成されている。また、このアングル部の端部には微小高さの突出縁が形成され、サッシ側に発生した結露が建物の内部に浸入しないようにしている。
【０００３】
ところで、このようなサッシ枠のアングル部に形成された突出縁は上方に突出しているため、バリアフリーのためにはこの突出縁の段差を解消することが望ましい。また、サッシ枠のアングル部と床仕上げ材との間に生じた隙間を埋めることも必要である。
【０００４】
そこで、従来のサッシ下枠の例として特許文献１を参照する。この文献に記載されたサッシ見切材は、図４に示すように、建物の躯体の開口部２０に、室内側に突出するサッシ枠固定アングル２１と床下張り材２２間に樹脂製のスペーサ２３を介装して固定し、このスペーサ２３に連接させて床見切り材２４を配置固定している。
【０００５】
床見切り材２４はベース部材２５とキャップ部材２６とから成り、ベース部材２５に形成された係合凹部２５ａ、２５ｂにキャップ部材２６に形成された係合片２６ａ、２６ｂを挿入して係合し、床見切り材２４のベース部材２５を床仕上げ材２８とスペーサ２３との間に隙間なく当接させた状態にしている。このような構造によれば、サッシ枠固定アングル２１の突条縁２７による段差はキャップ部材２６によって解消される。
【特許文献１】特開２００５−３２０８００号公報
【発明の開示】
【発明が解決しようとする課題】
【０００６】
ところが、特許文献１においては、スペーサ２３と床仕上げ材２８との間にベース部材２５が隙間なく敷設されているため、床仕上げ材２８に伸縮が生じた場合、その伸縮を吸収する余地が皆無であり、このため床仕上げ材２８が変形するおそれがある。
【０００７】
また、特許文献１において、キャップ部材２６の上面が損傷する等の原因で、キャップ部材２６を交換する際、キャップ部材２６の係合片２６ａ、２６ｂがベース部材２５の係合凹部２５ａ、２５ｂに隙間なく嵌合されているため、係合片２６ａ、２６ｂがいずれの方向にも変形する余地がなく、キャップ部材２６を取り出すのが困難であるという不都合があった。
【０００８】
本発明は、上記の事情に鑑みてなされたもので、建物の開口部に設けられたサッシ枠と建物内部の床仕上げ材との間に取り付けるサッシ下枠であって、アングル部の室内側端部に形成された突出縁による段差を解消すると共に、該サッシ下枠の上面を覆う化粧蓋（特許文献１のキャップ部材２６に相当する）を容易に交換することができるようにしたバリアフリーサッシ下枠を提供することを目的とする。
【課題を解決するための手段】
【０００９】
上記の目的を達成するために、本発明における請求項１のバリアフリーサッシ下枠は、建物の開口部に設けられたサッシ枠のアングル部と室内側に設けられた床仕上げ材との隙間に設けるサッシ下枠において、該サッシ下枠は下枠本体と化粧蓋とから成り、前記下枠本体は室外側上面に前記アングル部を載置する下段面が設けられると共に、室内側上面に前記下枠本体の長手方向に沿って開口を有する凹溝が形成された上段面を有し、前記凹溝の両壁内側の各上部に突部が形成される一方、前記化粧蓋には前記床仕上げ材の端部上面に載置される延長部が設けられると共に、該化粧蓋の下側に互いに離間して前記下枠本体の凹溝の両側の突部に嵌合する突部を有する一対の係合片が設けられたことにより、前記化粧蓋を前記下枠本体の凹溝に着脱自在に嵌合する構成としたことを特徴とする。
【００１０】
また、本発明の請求項２のバリアフリーサッシ下枠は、請求項１において、前記下枠本体の上段面の上面を前記床仕上げ材の上面と一致する高さにすると共に、前記化粧蓋の上面を前記サッシ枠のアングル部の端部に設けられた突出縁の上端と一致する高さにしたことを特徴とする。
【００１１】
さらに、本発明の請求項３のバリアフリーサッシ下枠は、請求項１又は２において、前記化粧蓋の延長部の下面端部付近に軟質部材を固定したことを特徴とする。
【発明の効果】
【００１２】
以上説明した本発明のバリアフリーサッシ下枠は、建物の開口部に設けられたサッシ枠のアングル部と室内側に設けられた床仕上げ材との隙間に設けるサッシ下枠であり、サッシ下枠の下枠本体は室外側上面にアングル部を載置する下段面が設けられているため、化粧蓋の厚さを薄く形成することができ、床仕上げ材の上面に対する化粧蓋の上面高さをバリアフリーの規定高さ内に収めることが容易となって、バリアフリー構造の実現に有益となる。
【００１３】
また、本発明のバリアフリーサッシ下枠において、下枠本体の凹溝に嵌合された化粧蓋の一対の係合片は凹溝の内側に変形する余地が与えられているため、化粧蓋の一対の係合片を下枠本体の凹溝に嵌合したり、離脱したりする作業を容易に行うことが可能となる。
【００１４】
さらに、サッシ下枠の上段平面部の下面端部付近に固定した軟質部材により、該軟質部材が仕上げ材の縁部に当接した際の消音効果を発揮することができる。
【発明を実施するための最良の形態】
【００１５】
以下、本発明の実施例について図面を参照しながら説明する。
【実施例１】
【００１６】
本実施例のバリアフリーサッシ下枠（単に「サッシ下枠」という）１は、図１又は図２（ａ）に示すように、建物の開口部に設けられたサッシ枠２のアングル部３と室内側に設けられた床仕上げ材４との隙間に設けるものであり、このサッシ下枠１は下枠本体５と化粧蓋６とから成る長尺の部材を形成して成るものである。これらの下枠本体５と化粧蓋６とは合成樹脂により成形することができ、下枠本体５は例えばＡＢＳ樹脂を使用し、化粧蓋６は耐衝撃性及び耐候性に優れたＡＡＳ樹脂を使用することによって、キズや割れの生じにくい化粧蓋６とすることができる。
【００１７】
このサッシ下枠１の下枠本体５は、室外側上面にサッシ枠２のアングル部３を載置する下段面７が設けられると共に、室内側上面に床仕上げ材４との高さを一致させた上段面８を有する。この下枠本体５の上段面８には上方に開口を有する一条の凹溝９が該下枠本体５の長手方向に沿って形成され、凹溝９の両壁内側の各上部に突部１０ａ、１０ｂが形成されている。なお、各突部１０ａ、１０ｂはアールを設けることによって円弧の形状を有するものとしている。
【００１８】
このような構成の下枠本体５をサッシ枠２のアングル部３と床仕上げ材４との間の下部に設けられた下受け材１１で支持し、下枠本体５の下段面７にサッシ枠２のアングル部３を載置した状態にする。この状態で、サッシ枠２のアングル部３に設けられたネジ穴１２にネジ１３を挿入して下枠本体５に螺入することによって、サッシ枠２のアングル部３に下枠本体５を固定状態にすることができる。
【００１９】
一方、図１又は図２（ａ）に示すように、サッシ下枠１の化粧蓋６には床仕上げ材４の端部上面に載置される延長部１４が設けられると共に、該化粧蓋６はサッシ枠２のアングル部３の端部に形成された突出縁１５の段差を無くす厚さを有する。従って、サッシ枠２のアングル部３の端部に設けられた突出縁１５の上端と化粧蓋６の上面とは同一の高さで一致し、サッシ枠２のアングル部３は室内側に段差のない構造となる。
【００２０】
ただし、サッシ枠２のアングル部３は外側に向かって高さＨ１の段差１５ａを有するが、この段差１５ａは結露水が室内に流入しないために必要であり、このアングル部３の外側の段差１５ａの高さＨ１を３mm以内にすることによって、バリアフリーに要求される段差の規定値をクリアすることができる。
【００２１】
さらに、化粧蓋６の下側には、互いに離間した状態で下枠本体５の凹溝９の両側の突部１０ａ、１０ｂに嵌合する突部１６ａ、１６ｂを有する一対の係合片１６、１６が設けられている。このような構成により、図２（ａ）、(ｂ)に示すように、化粧蓋６を上方から下枠本体５の凹溝９に嵌め込むと、化粧蓋６の両側の係合片１６、１６の各突部１６ａ、１６ｂが下枠本体５の凹溝９の各突部１０ａ、１０ｂを乗り越えて互いに係合した状態に固定される。このような構成により、化粧蓋６の交換が必要となった際には、化粧蓋６の延長部１４側から持ち上げることによって、化粧蓋６の両側の係合片１６、１６を下枠本体５の凹溝９から離脱して取り外すことができる。
【００２２】
上記の構成において、下枠本体５と床仕上げ材４との間に隙間Ｇを有するようにしておくと、フローリング等の床仕上げ材４に生じる伸縮を上記の隙間Ｇで吸収することができる。また、化粧蓋６の延長部１４は床仕上げ材４の端部上面に載置される長さを有するものであり、下枠本体５と床仕上げ材４との隙間Ｇは化粧蓋６の延長部１４で被せられた状態となって、上記の隙間Ｇを上方から閉塞することができる。
【００２３】
また、この化粧蓋６の延長部１４の下面端部付近に軟質エラストマー樹脂等による軟質部材１７を固定することによって、延長部１４と床仕上げ材４の端部上面との接触部に生じる音を消音することが可能となる。
【００２４】
上記の構成において、化粧蓋６の厚さ（高さ）Ｈ２を３mm以内にすることによって、バリアフリーに要求される段差の規定値をクリアすることができる。さらに、化粧蓋６の延長部１４の端部上縁にアール１４ａを設けたことによって、化粧蓋６の上面と床仕上げ材４の上面との境界を車椅子等で移動する際の衝撃を緩和することが可能となる。
【００２５】
図３(ａ)は、上記構成のサッシ下枠１の断面図であるが、他の実施例として、図３(ｂ)に示す断面のサッシ下枠１とすることも可能である。即ち、図３(ｂ)に示すサッシ下枠１は、化粧蓋６の一対の係合片１６、１６の突部１８ａ、１８ｂと下枠本体５の凹溝９の両側内壁に設けられた突部１９ａ、１９ｂとが波状の複数の突部形状によって形成されたものである。このような構成においても上記実施例と同様に化粧蓋６の両側の係合片１６、１６を下枠本体５の凹溝９に着脱自在に嵌合した状態に固定することが可能である。なお、図３(ｂ)のその他の構成は、図３（ａ）と同様である。
【００２６】
上記のように本発明のサッシ下枠１は、化粧蓋６の一対の係合片１６、１６と下枠本体５の凹溝９との嵌合構造が上記のいずれの構成を有するものであっても、下枠本体５の凹溝９は下枠本体５の長手方向に沿って上方に開口を有する凹溝９として形成され、この凹溝９に嵌合された化粧蓋６の一対の係合片１６、１６は凹溝９の内側に変形する余地が与えられているため、化粧蓋６の一対の係合片１６、１６を下枠本体５の凹溝９に嵌合したり、離脱したりする作業を容易に行うことが可能となる。
【産業上の利用可能性】
【００２７】
本発明のバリアフリーサッシ下枠は、建物の開口部に設けられたサッシ枠と建物内部の床仕上げ材との間に取り付けるサッシ下枠であって、アングル部の室内側端部に形成された突出縁による段差を解消すると共に、該サッシ下枠の上面を覆う化粧蓋を容易に交換することができるバリアフリーサッシ下枠として利用可能である。
【図面の簡単な説明】
【００２８】
【図１】本発明による一実施例のバリアフリーサッシ下枠の取り付け状態を示す断面図である。
【図２】(ａ)は本発明による一実施例のバリアフリーサッシ下枠の化粧蓋を下枠本体の凹溝から離脱した状態を示す斜視図であり、(ｂ)は嵌合状態を示す斜視図である。
【図３】(ａ)は本発明による一実施例のバリアフリーサッシ下枠の断面図であり、(ｂ)は他の実施例の断面図である。
【図４】特許文献１に係るサッシ見切材周辺の断面図である。
【符号の説明】
【００２９】
１  バリアフリーサッシ下枠（サッシ下枠）
２  サッシ枠
３  アングル部
４  床仕上げ材
５  下枠本体
６  化粧蓋
７  下段面
８  上段面
９  凹溝
１０ａ、１０ｂ  突部
１１  下受け材
１２  ネジ穴
１３  ネジ
１４  延長部
１４ａ  アール
１５  突出縁
１５ａ  段差
１６  係合片
１６ａ、１６ｂ  突部
１７  軟質部材
１８ａ、１８ｂ  突部
１９ａ、１９ｂ  突部
Ｇ  隙間
Ｈ１  アングル部の外側の段差の高さ
Ｈ２  化粧蓋の厚さ（高さ）
【図１】
2007285015.tif 000003
【図２】
2007285015.tif 000004
【図３】
2007285015.tif 000005
【図４】
2007285015.tif 000006